(57)【要約】  本発明は、上記事情に鑑みなされたものであり、ディスプレイパネルユニットの形状を、容易に曲面状に構成することが可能なタッチセンサ部材、このタッチセンサ部材を備えるタッチセンサ、及びこのタッチセンサを備えるディスプレイパネルユニットを提供することを目的とする。  本発明の一様態のタッチセンサ部材１は、基材２と、前記基材上に形成されたセンサ回路配線３を備え、前記基材２は、３００μｍ以下の厚みを有するガラスフィルムからなり、前記センサ回路配線３は、線幅が２５μｍ以下である金属線３ｙを含む。
2018034324.tif 000002
【特許請求の範囲】
【請求項１】
基材と、
前記基材上に形成されたセンサ回路配線を備え、
前記基材は、３００μｍ以下の厚みを有するガラスフィルムからなり、
前記センサ回路配線は、線幅が２５μｍ以下である金属線を含む、タッチセンサ部材。
【請求項２】
略矩形の基材と、
前記基材上に形成された複数のセンサ回路配線を備え、
前記複数のセンサ回路配線が、前記基材上の離間したそれぞれ複数の領域に形成されてなり、
前記基材の横方向又は縦方向において、センサ回路配線の非形成領域が帯状に全長に亘って形成されてなる、請求項１に記載のタッチセンサ部材。
【請求項３】
請求項１又は２に記載のタッチセンサ部材と、
前記タッチセンサ部材を覆うように設けられたタッチ操作面材を備え、
前記タッチ操作面材は、３００μｍ以下の厚みを有するガラスフィルムからなる、タッチセンサ。
【請求項４】
前記センサ回路配線は、前記タッチ操作面材側が、黒色である、請求項３に記載のタッチセンサ。
【請求項５】
請求項３又は４に記載のタッチセンサを備え、
前記センサ回路配線が、タッチパネル用回路配線であるディスプレイパネルユニットであり、
前記タッチパネル用回路配線の対応する位置に且つ前記タッチ操作面材の反対側に表示装置を備える、ディスプレイパネルユニット。
【請求項６】
前記複数のセンサ回路配線を備え、
前記タッチパネル用回路配線とは別のセンサ回路配線が、タッチスイッチ用回路配線であり、
前記タッチスイッチ用回路配線の対応する位置で且つ前記タッチ操作面材とは反対側に発光素子を備える、請求項５に記載のディスプレイパネルユニット。
【請求項７】
前記タッチスイッチ用回路配線を備えたタッチセンサが曲面状に構成されてなる、請求項６に記載のディスプレイパネルユニット。
【発明の詳細な説明】
【技術分野】
【０００１】
本発明は、タッチセンサ部材、タッチセンサ、及びディスプレイパネルユニットに関する。
【背景技術】
【０００２】
ディスプレイに指で触れることによりデバイスが作動するディスプレイパネルユニットが、幅広く使用されている。特に、デバイスとして、ディスプレイに目的地を表示して、車両の運転者への案内を行うナビゲーション装置が広く使用されている。【０００３】
例えば、特許文献１のディスプレイパネルユニットは、上下方向に大きく且つ長く構成されている。ディスプレイパネルユニットのモニター表示部は、ナビゲーション装置のナビゲーション画面、オーディオ装置のオーディオ操作画面、及びエアコン装置のエアコン操作画面から構成され、一度に表示可能なように配置されている。これらの画面を構成するモニター表示部は、全面がタッチパネルである。
【先行技術文献】
【特許文献】
【０００４】
【特許文献１】特開２００８−１０７２３８号公報
【発明の概要】
【発明が解決しようとする課題】
【０００５】
しかし、特許文献１に開示されるようなディスプレイパネルユニットは、単一平面内に、複数の操作画面が上下方向に配列した状態で、上下方向に大きく且つ長く構成されている。そのため、例えば、最下方に配置されたエアコン操作画面が見にくくなったり、操作がしにくくなったりすることがある。【０００６】
そのため、このディスプレイパネルユニットを緩やかな凹面状に構成することができれば、上記のような問題は解決できる。しかし、一般的に、タッチパネルは、剛性が高いため、タッチパネルを備えるディスプレイパネルユニットの形状を、曲面状に構成することは、困難である等、ディスプレイパネルユニットにおけるデザイン上の制約が多い。【０００７】
本発明は、上記事情に鑑みなされたものであり、ディスプレイパネルユニットの形状を、容易に曲面状に構成することが可能なタッチセンサ部材、このタッチセンサ部材を備えるタッチセンサ、及びこのタッチセンサを備えるディスプレイパネルユニットを提供することを目的とする。
【課題を解決するための手段】
【０００８】
本発明の一様態のタッチセンサ部材は、基材と、前記基材上に形成されたセンサ回路配線を備え、前記基材は、３００μｍ以下の厚みを有するガラスフィルムからなり、前記センサ回路配線は、線幅が２５μｍ以下である金属線を含む。【０００９】
このような構成によれば、タッチセンサ部材を、容易に曲面等の様々な形状に構成することが可能となる。よって、タッチセンサ部材が比較的大きくても、容易に曲面状に構成することができる。更に、センサ回路配線が酸化物透明導電膜からなる場合と比較して、センサ回路配線が基材から剥離したり、配線が断線したりしにくい。そのため、タッチセンサ部材を曲面状に構成しても、センサ回路配線が、基材から剥離したり、断線したりするおそれがない。以上より、ディスプレイパネルユニットを、上下方向に大きく且つ長く構成しても、ディスプレイパネルユニットの形状を、容易に曲面状に構成することが可能となり、視認性や操作性を低下させることなく、デザイン上の制約を減らすことが可能となる。【００１０】
また、上記のタッチセンサ部材において、略矩形の基材と、前記基材上に形成された複数のセンサ回路配線を備え、前記複数のセンサ回路配線が、前記基材上の離間したそれぞれ複数の領域に形成されてなり、前記基材の横方向又は縦方向において、センサ回路配線の非形成領域が帯状に全長に亘って形成されてなることが好ましい。【００１１】
このような構成によれば、タッチセンサ部材におけるセンサ回路配線の非形成領域で、タッチセンサ部材を、より容易に曲面状に変形させやすくなる。そのため、これを用いたディスプレイパネルユニットを、上下方向に大きく且つ長く構成しても、ディスプレイパネルユニットの形状を、容易に曲面状に構成することが可能となり、視認性や操作性を低下させることなく、デザイン上の制約を減らすことが可能となる。【００１２】
本発明のタッチセンサは、上記に記載のタッチセンサ部材と、前記タッチセンサ部材を覆うように設けられたタッチ操作面材を備え、前記タッチ操作面材は、３００μｍ以下の厚みを有するガラスフィルムからなる。【００１３】
このような構成によれば、タッチセンサ部材と同様にタッチ操作面材も、曲面等の様々な形状に容易に構成することが可能となる。そのため、このタッチセンサを用いたディスプレイパネルユニットを、上下方向に大きく且つ長く構成しても、ディスプレイパネルユニットの形状を、容易に曲面状に構成することが可能となり、視認性や操作性を低下させることなく、デザイン上の制約を減らすことが可能となる。また、タッチセンサとしての感度も高いため、操作者がタッチ操作面材に指を近づけるだけで操作することが容易になる。【００１４】
また、上記のタッチセンサにおいて、前記センサ回路配線は、前記タッチ操作面材側が、黒色であることが好ましい。【００１５】
このような構成によれば、このタッチセンサをディスプレイ装置に用いた場合、ディスプレイ画面のコントラストが向上する。また、ディスプレイ画面上に電極が操作者に視認されたり、画像の黒浮等の現象が発生する事態を抑制できる。すなわち、このような構成によれば、ディスプレイ画面の視認性を向上させることができる。【００１６】
本発明のディスプレイパネルユニットは、上記に記載のタッチセンサを備え、前記センサ回路配線が、タッチパネル用回路配線であるディスプレイパネルユニットであり、前記タッチパネル用回路配線の対応する位置に且つ前記タッチ操作面材の反対側に表示装置を備えてなる。【００１７】
このような構成によれば、ディスプレイパネルユニットを、上下方向に大きく且つ長く構成しても、ディスプレイパネルユニットの形状を、容易に曲面状に構成することが可能となり、視認性や操作性を低下させることなく、デザイン上の制約を減らすことが可能となる。【００１８】
また、上記のディスプレイパネルユニットにおいて、前記複数のセンサ回路配線を備え、前記タッチパネル用回路配線とは別のセンサ回路配線が、タッチスイッチ用回路配線であり、前記タッチスイッチ用回路配線の対応する位置で且つ前記タッチ操作面材とは反対側に発光素子を備えることが好ましい。【００１９】
このような構成によれば、発光素子の光を効率よくタッチ操作面材側に透過させることができる。そのため、タッチスイッチの視認性が向上する。【００２０】
また、上記のディスプレイパネルユニットにおいて、前記タッチスイッチ用回路配線を備えたタッチセンサが曲面状に構成されてなることが好ましい。【００２１】
このような構成によれば、ディスプレイパネルユニットの意匠性が向上する。
【発明の効果】
【００２２】
本発明によれば、ディスプレイパネルユニットの形状を、容易に曲面状に構成することが可能なタッチセンサ部材、このタッチセンサ部材を備えるタッチセンサ、及びこのタッチセンサを備えるディスプレイパネルユニットを提供することが可能となる。
【図面の簡単な説明】
【００２３】
【図１】図１は、第一の実施形態にかかるタッチセンサ部材１の斜視図である。
【図２】図２は、図１の円Ｘを拡大した拡大図である。
【図３】図３は、第一の実施形態にかかる細線３ｙを含むタッチセンサ部材１６の断面図である。
【図４】図４は、第二の実施形態にかかるタッチセンサ部材１１の斜視図である。
【図５】図５は、第三の実施形態にかかるタッチセンサ部材１６の斜視図である。
【図６】図６は、第三の実施形態にかかるタッチセンサ部材１６のＡ−Ａ断面図である。
【図７】図７は、第一の実施形態にかかるタッチセンサ２１の斜視図である。
【図８】図８は、第一の実施形態にかかるタッチセンサ２１のＢ−Ｂ断面図である。
【図９】図９は、第二の実施形態にかかるタッチセンサ２６の斜視図である。
【図１０】図１０は、第二の実施形態にかかるタッチセンサ２６のＣ−Ｃ断面図である。
【図１１】図１１は、第一の実施形態にかかるディスプレイパネルユニット３１の斜視図である。
【図１２】図１２は、第二の実施形態にかかるディスプレイパネルユニット４１の分解図である。
【図１３】図１３は、第二の実施形態にかかるディスプレイパネルユニット４１の斜視図である。
【図１４】図１４は、第三の実施形態にかかるディスプレイパネルユニット６１の分解図である。
【発明を実施するための形態】
【００２４】
以下、本発明を実施するための形態について説明するが、本発明は以下の実施の形態に限定されるものではなく、本発明の趣旨を逸脱しない範囲で、当業者の通常の知識に基づいて、以下の実施の形態に対し適宜変更、改良等が加えられたものも本発明の範囲に入ることが理解されるべきである。
【００２５】
（タッチセンサ部材）
図１は、本発明の第一の実施形態にかかるタッチセンサ部材１の斜視図である。
【００２６】
タッチセンサ部材１は、基材２と、基材２上に形成されたセンサ回路配線３を主要な構成として備える。このセンサ回路配線３は、タッチスイッチ用回路配線として使用される。
【００２７】
基材２は、３００μｍ以下の厚みを有するガラスフィルムにより構成されている。３００μｍ以下の厚みを有するガラスフィルムは、可撓性を有するため、容易に曲面等の様々な形状に構成することが可能となる。なお、ガラスフィルムの厚みが小さいほど可撓性が高いため、ガラスフィルムの厚みは、２００μｍ以下であることが好ましく、１５０μｍ以下であることがより好ましく、１００μｍ以下であることが更に好ましく、５０μｍ以下であることが最も好ましい。一方、ガラスフィルムの厚みが小さすぎると、耐衝撃性が低いため、ガラスフィルムの厚みは、５μｍ以上であることが好ましく、１０μｍ以上であることがより好ましく、２０μｍ以上であることが更に好ましく、３０μｍ以上であることが最も好ましい。
【００２８】
なお、ガラスフィルムの材料は、特に限定されるものではなく、例えば、ソーダ石灰ガラス、無アルカリガラス、アルミノシリケートガラス等が挙げられる。アルミノシリケートガラスがアルカリ金属含有アルミノシリケートガラスである場合、基材２は、化学強化したガラスフィルムであってもよい。
【００２９】
特に限定されるものではないが、本実施形態において、基材２の形状は矩形である。他にも、基材２が例えば、角部をラウンド加工した略矩形であっても良い。
【００３０】
センサ回路配線３は、図１における上下方向に延伸する複数の太線３ｘを有する。そして、各太線３は、図２に示すように、平行に等間隔に形成された複数本の細線３ｙと、前記細線３ｙと所定の角度θ（図２ではθ＝９０°）で交差し、平行に等間隔に形成された複数本の細線３ｙとから構成される。すなわち、太線３ｘは、格子状に形成された細線３ｙからなる。これらの細線３ｙは、金属により構成されるいわゆる金属線であり、線幅は２５μｍ以下である。また、細線３ｙの交差点において、２本の細線３ｙどうしはつながっており、電気的に導通されている。
【００３１】
金属線は、例えば、酸化物透明導電膜（ＩＴＯ、ＦＴＯ等）と比較して、電気抵抗が低い。そのため、金属線の線幅を２５μｍ以下とした場合でも、十分に通電可能である。加えて、このような細い金属線は、柔軟性に優れる。そのため、図１に示すように、タッチセンサ部材１を曲面状に構成することができ、曲面状にしたとしても、センサ回路配線３が断線したり、基材２から剥離したりするおそれがない。
【００３２】
金属線の線幅は、２０μｍ以下であることが好ましく、１５μｍ以下であることがより好ましく、１０μｍ以下であることが更に好ましく、５μｍ以下であることが最も好ましい。上記の線幅とすることにより、本実施形態にかかるタッチセンサ部材１をディスプレイパネルユニットに使用した場合、画面の視認性が向上する。
【００３３】
細線３ｙは、図３に示すように、基材２上に形成された、金属光沢を有する金属光沢層３ｙａと、金属光沢層３ｙａの上に形成された、金属光沢を有さず、外観が黒色を呈する黒化層３ｙｂからなる。このようなセンサ回路配線３は、基材２とは反対側（図３の上方）から見て黒色である。
金属光沢層３ｙａは、特に限定されるものではないが、例えば、銅、ニッケル、金等の金属により構成される。銅又はニッケルは、微細エッチングが可能な金属材料という観点から好ましい。銅は、電気抵抗が低く、無電解めっきでは、膜の均一性がよい。また、ニッケルは、銅と比較して反射率が低いため、基材２とは反対側からみて、濃い黒色を呈する。
【００３４】
金属線の厚み（図３では、金属光沢層３ｙａと黒化層３ｙｂの厚みの和）は、２０μｍ以下であることが好ましく、１０μｍ以下であることがより好ましく、５μｍ以下であることが最も好ましい。上記の厚みとすることにより、金属線は、より柔軟性に優れる。また、金属線の厚みは、０．１μｍ以上であることが好ましく、０．５μｍ以上であることがより好ましく、１μｍ以上であることが最も好ましい。上記の厚みとすることにより、通電することができる。
【００３５】
黒色であることにより、本実施形態に係るタッチセンサ部材１をディスプレイパネルユニットに使用した場合、画面のコントラストが向上する。また、電極が操作者に視認されたり、画像の黒浮等の現象が発生したりすることを抑制できる。そのため、画面の視認性を向上させることができる。
【００３６】
センサ回路配線３は、例えば、以下のような方法により形成することができる。
【００３７】
まず、基材２上に金属膜を形成する。金属膜は、例えば、無電解メッキ処理、電解メッキ処理等のメッキ処理、スパッタリング、真空蒸着等により基材２上に形成できる。また、基材２上に、金属箔を貼ることで、金属膜を形成してもよい。
【００３８】
次に、例えば、黒メッキ処理により、金属層上に黒色層を形成する。
【００３９】
最後に、金属膜及び黒色層をエッチングする。まず、金属膜の表面を、アセトン等で超音波洗浄し、乾燥した。次に、金属膜の表面にフォトレジストをスピンコートした。フォトレジストを塗布後、１００℃程度でプリベークを行った。次に、露光機によりマスクパターン露光を行った。現像は、例えば、東京応化製ＮＭＤ−３のＴＭＡＨアルカリ溶液を用いて行った。そして、アルカリ溶液を水洗し、乾燥後に１２０℃程度でポストベークをすることで、エッチングマスクとしてのレジストパターンを完成させる。
【００４０】
エッチングは、例えば、無機酸、有機酸等の酸と、過酸化水素等の酸化剤等を含む水溶液により行うことができる。金属膜とレジストパターンが形成された基材２をこの溶液に浸漬し、エッチングを行った。
【００４１】
センサ回路配線３は、図１に示すように引出し線４を備える。引出し線４は、センサ回路配線３の太線３ｘで生じた信号を、図示しない中央処理装置（ＣＰＵ）に伝送するために、基材２上に形成される。引出し線４は、太線３ｘと同数の引出し細線４ａにより構成され、基材２の端辺付近まで延びている。各太線３ｘは引出し細線４ａを介して、ＣＰＵに接続される。引出し線４は、例えば、センサ回路配線３の細線３ｙと同じ材質により構成される。引出し線４の線幅は、センサ回路配線３の細線３ｙよりも太ければ、引出し線４の断線が抑制される。そのため、引出し線４の断線により生じる電気抵抗の上昇を抑制できるため好ましい。引出し線４の線幅は、１０μｍ以上が好ましく、２０μｍ以上であればより好ましい。
【００４２】
図４は、本発明の第二の実施形態にかかるタッチセンサ部材１１の斜視図である。なお、上述した第一の実施形態と同じ部分は説明を省略する。
【００４３】
タッチセンサ部材１１は、３つのセンサ回路配線３（３ａ、３ｂ、３ｃ）を有する。そして、各センサ回路配線３は、それぞれ引出し線４（４ａ、４ｂ、４ｃ）を有する。
【００４４】
センサ回路配線３ａ、３ｂ、３ｃは、図４に示すように、縦方向（図３では上下方向）において、離間して基材２上に形成されている。
【００４５】
センサ回路配線３ａ、３ｂ、３ｃの太線３ｘで生じた信号を、図示しないＣＰＵに伝送するために、それぞれ引出し線４ａ、４ｂ、４ｃが、基材２上に形成される。
【００４６】
そして、センサ回路配線３ａ、３ｂ、３ｃは、１枚の基板３上の離間した３つの領域２ａ、２ｂ、２ｃにそれぞれ形成されているため、図４に示すように、横方向（図４では左右方向）に延びるセンサ回路配線の横方向非形成領域ＢＷが形成されている。また、基材２上の左側の領域２ｄには、縦方向（図４では上下方向）に延びるセンサ回路配線の縦方向非形成領域ＢＬが形成されている。
【００４７】
センサ回路配線の縦方向非形成領域ＢＬ及びセンサ回路配線の横方向非形成領域ＢＷは、金属線（細線ｙ）を含むセンサ回路配線３ａ、３ｂ、３ｃが無い為、センサ回路配線の縦方向非形成領域ＢＬまたはセンサ回路配線の横方向非形成領域ＢＷにおいて、タッチセンサ部材１１を容易に曲面状に変形させることができる。また、センサ回路配線の縦方向非形成領域ＢＬまたはセンサ回路配線の横方向非形成領域ＢＷを、大きく変形させ、センサ回路配線３ａ、３ｂ、３ｃが形成された領域２ａ、２ｂ、２ｃでの変形を小さくすれば、金属線に曲げ応力が加わりにくいので、センサ回路配線３ａ、３ｂ、３ｃが基材２から剥離しにくいため好ましい。
なお、引出し線４については、縦方向非形成領域ＢＬ及び横方向非形成領域ＢＷに配置することができる。また、センサ回路配線３ａ、３ｂ、３ｃからの引出し線４ａ、４ｂ、４ｃを基材２における任意の一辺の端辺付近（図４では紙面右辺）まで延びるように近接配置することで、ＣＰＵへの伝送を容易にすることができる。
【００４８】
図５は、本発明の第三の実施形態にかかるタッチセンサ部材１１の斜視図である。なお、上述した第二の実施形態と同じ部分は説明を省略する。
【００４９】
第三の実施形態にかかるタッチセンサ部材１６は、第二の実施形態にかかるタッチセンサ部材１１と同様に、３つのセンサ回路配線が縦方向において、１枚の基材２上の離間した３つの領域２ａ、２ｂ、２ｃにそれぞれ形成されている。第二の実施形態にかかるタッチセンサ部材１１との違いは、センサ回路配線３の構成である。第二の実施形態にかかるタッチセンサ部材１１の太線３ｘは、基材２の片面のみに形成されており、図４における上下方向に延伸していたが、第三の実施形態にかかるタッチセンサ部材１６の太線３ｘは、図５及び図６に示す通り、基材２の両面に形成されており、一方の面に形成された太線３ｘは、図５における上下方向に延伸しており、他方の面に形成された太線３ｘは、図５における左右方向に延伸している。なお、図６における太線３ｘは、それぞれ図２に記載の通り、格子状に形成された複数の細線３ｙからなっているが、以下で説明する太線３ｘは全て、便宜上断面矩形状に省略して記載した。
【００５０】
なお、第三の実施形態にかかるタッチセンサ部材１６において、センサ回路配線３ｄ、３ｅ、３ｆを構成する太線３ｘは、基材２の両面に形成されているが、例えば、いずれか１つ、または２つのセンサ回路配線において、片面のみに太線３ｘが形成されていてもよい。
【００５１】
次に、第四の実施形態にかかるタッチセンサ部材について説明する。なお、上述した第二の実施形態と同じ部分は説明を省略する。
【００５２】
第四の実施形態にかかるタッチセンサ部材は、第二の実施形態にかかるタッチセンサ部材１１と同様に、３つのセンサ回路配線が縦方向において、１枚の基材２上の離間した３つの領域２ａ、２ｂ、２ｃにそれぞれ形成されている。第二の実施形態にかかるタッチセンサ部材１１との違いは、細線の構成である。第二の実施形態にかかるタッチセンサ部材１１の細線３ｙは、基材２とは反対側から見て黒色であるが、第四の実施形態にかかるタッチセンサ部材は、基材２側から見ても黒色である。
【００５３】
第四の実施形態にかかるタッチセンサ部材センサ回路配線３は、以下のような方法により形成することができる。
【００５４】
まず、基材２を、錫、亜鉛、銅のうち一種類もしくは複数種類以上を含む溶液に浸漬し、それらの金属イオンを基材２の表面に吸着させ、次に、白金等の貴金属を含む水溶液に浸漬する。これによって、イオン化傾向の違いによって、基材２の表面に吸着した錫、亜鉛、銅等の金属イオンが貴金属イオンに置換され、基材２の表面上に貴金属あるいは貴金属化合物を主成分とする膜が形成される。そして、この膜が形成された基材２を還元性溶液に浸漬する。これにより、膜の表面近傍の貴金属を還元し、無電解めっきの触媒作用を有する状態にする。
【００５５】
次に、電解めっきまたは無電解めっきにより、基材２上に金属膜を形成する。金属膜としては、特に限定されるものではないが、例えば、銅、ニッケル、金等が挙げられる。銅又はニッケルは、微細エッチングが可能な金属材料という観点から好ましい。銅は、電気抵抗が低く、無電解めっきでは、膜の均一性がよい。また、ニッケルは、銅と比較して反射率が低い（黒い）というメリットを有する。
【００５６】
最後に、金属膜をエッチングする。エッチングは、上述の第一の実施形態において説明した方法と同じ方法で行うことができる。
【００５７】
このようにして形成されたセンサ回路配線３は、基材２上に形成された黒化層と黒化層上の金属光沢膜からなり、基材２側から見ると、黒色である。基材２上に黒化層が形成される理由は明らかではないが、貴金属と金属とが反応して黒化すると考えられる。黒色であることにより、本実施形態に係るタッチセンサ部材１をディスプレイパネルユニットに使用した場合、画面のコントラストが向上する。また、電極が操作者に視認されたり、画像の黒浮等の現象が発生したりする事態を抑制できる。そのため、画面の視認性を向上させることができる。
【００５８】
なお、金属膜は、上記の方法以外にも、例えば、スパッタリング、真空蒸着等により基材２上に金属膜を形成してもよい。また、基材２上に、金属箔を貼ることで、金属膜を形成してもよい。
【００５９】
（タッチセンサ）
図７は、本発明の第一の実施形態にかかるタッチセンサ２１の斜視図である。
【００６０】
タッチセンサ２１は、タッチパネル用として使用され、上記の第二の実施形態のタッチセンサ部材１１（１１ａ、１１ｂ）と、タッチ操作面材１２とを主要な構成として備える。なお、図７では、簡略化のため、引出し線４は省略する。
【００６１】
タッチ操作面材１２は、３００μｍ以下の厚みを有するガラスフィルムにより構成されている。例えば、上記の基材２と同じ材料、厚みのガラスフィルムにより構成することができる。厚みが３００μｍ以下のガラスフィルムは、可撓性を有するため、容易に曲面等の様々な形状に構成することが可能となるとともに、タッチパネルの感度を高めることができる。なお、厚みが小さいほど可撓性やタッチパネルとした時の感度が高いため、ガラスフィルムの厚みは、２００μｍ以下であることが好ましく、１５０μｍ以下であることがより好ましく、１００μｍ以下であることが更に好ましく、５０μｍ以下であることが最も好ましい。一方、ガラスフィルムの厚みが小さすぎると、耐衝撃性が低いため、ガラスフィルムの厚みは、１μｍ以上であることが好ましく、５μｍ以上であることがより好ましく、１０μｍ以上であることが更に好ましく、２０μｍ以上であることが最も好ましい。
【００６２】
なお、タッチ操作面材１２のサイズは、基材２と同じ幅及び長さであっても、図７のように、基材２よりも大きな幅及び長さであってもよい。
【００６３】
図８に示すように、タッチセンサ部材１１ａは、タッチ操作面材１２の一方の主面上１２ａに形成される。なお、図７では、タッチ操作面材１２が紙面手前側に、タッチセンサ部材１１ａが紙面奥側に配置される。タッチセンサ部材１１ａは、タッチ操作面材１２に、図示しない透明光学粘着フィルム等を介して接着される。上述の通り、タッチセンサ部材１１ａに形成されたセンサ回路配線３は、タッチ操作面材１２側から見ると、黒色である。本実施形態において、タッチセンサ部材１１ａのセンサ回路配線側と、タッチ操作面材１２とが接着される。
【００６４】
また、タッチセンサ部材１１ｂは、タッチセンサ部材１１ａ上に形成される。タッチセンサ部材１１ｂは、タッチセンサ部材１１ａ上に、図示しない透明光学粘着フィルム等を介して接着される。上述の通り、タッチセンサ部材１１ｂに形成されたセンサ回路配線３は、タッチ操作面材１２側から見ると、黒色である。本実施形態において、タッチセンサ部材１１ｂのセンサ回路配線側と、タッチセンサ部材１１ａとが接着される。これにより、タッチ操作面材１２側からタッチセンサ２１を見た場合、センサ回路配線３は黒色である。そのため、本実施形態に係るタッチセンサ２１をディスプレイパネルユニットに使用した場合、画面のコントラストが向上する。また、電極が操作者に視認されたり、画像の黒浮等の現象が発生する事態を抑制できる。そのため、画面の視認性を向上させることができる。
【００６５】
なお、タッチセンサ部材１１ａのセンサ回路配線３ａ、３ｂ、３ｃにおける太線３ｘは、図７の上下方向に延伸しており、タッチセンサ部材１１ｂのセンサ回路配線３ａ、３ｂ、３ｃにおける太線３ｘは、図７の左右方向に延伸している。また、タッチセンサ２１は、タッチ操作面材１２側に凹面状に構成されている。
【００６６】
以下、上記構成に係るタッチセンサ２１の使用方法及びその作用について説明する。
【００６７】
本実施形態に係るタッチセンサ２１は、操作者の指がタッチ操作面材１２に接触したときに、タッチセンサ部材１１ａのセンサ回路配線３とタッチセンサ部材１１ｂのセンサ回路配線３により、その接触位置（接触点）を検出できる。その信号を、ＣＰＵにて処理することにより、操作者のタッチ操作を認識する。
【００６８】
なお、上記の実施形態では、タッチ操作面材１２側からタッチセンサ２１を見た場合、センサ回路配線３の色は特に制限ないが、視認性を向上させる上では、黒色であることが好ましい。
【００６９】
図９は、第二の実施形態にかかるタッチセンサ２６の斜視図である。なお、上述した第一の実施形態と同じ部分は説明を省略する。
【００７０】
タッチセンサ２６は、タッチパネル用として使用され、上記の第三の実施形態のタッチセンサ部材１６と、タッチ操作面材１２とを主要な構成として備える。
【００７１】
図１０に示すように、タッチセンサ部材１６は、タッチ操作面材１２の一方の主面上１２ａに形成される。なお、図９では、タッチ操作面材１２が、紙面手前側に、タッチセンサ部材１６が、紙面奥側に配置される。タッチセンサ部材１６は、タッチ操作面材１２に、図示しない透明光学粘着フィルム等を介して接着される。上述の通り、タッチセンサ部材１６に形成されたセンサ回路配線３は、タッチ操作面材１２側から見ると、黒色である。タッチセンサ部材１６は、基材２の両面に太線３ｘが形成されているため、１枚のタッチセンサ部材１６によりタッチセンサ２６を構成することができる。
【００７２】
（ディスプレイパネルユニット）
図１１は、本発明の第一の実施形態にかかるディスプレイパネルユニット３１の斜視図である。
【００７３】
ディスプレイパネルユニット３１は、第一の実施形態のタッチセンサ２１と、表示板３２とを主要な構成として備える。なお、図１１では、簡略化のため、センサ回路配線３の形成領域を一点破線で表し、センサ回路配線３を省略する。
【００７４】
表示板３２は、ベース部材と、ベース部材のマウントされた３つのディスプレイ表示装置３３（３３ａ、３３ｂ、３３ｃ）と、２つのスイッチ３４（３４ａ、３４ｂ）を備える。ディスプレイ表示装置３３は、任意の映像を表示する装置である。ディスプレイ表示装置３３は、例えば、有機ＥＬ表示装置、液晶ディスプレイ表示装置、電子ペーパー、蛍光表示管等が挙げられる。有機ＥＬ表示装置は、画像が鮮明であり、消費電力が少なく、表示面を曲面に形成しやすいため好ましい。スイッチ３４は、例えば、図１１に示すように、設定値を大きくしたり（＋）、小さくしたり（−）するスイッチ（３４ａ）、電源をオン、オフするスイッチ（３４ｂ）が挙げられる。スイッチ３４は、例えば、スイッチの位置や文字が浮かび出すように、それらの位置を光らせるための発光装置により構成される。
【００７５】
タッチセンサ２１と表示板３２とは積層されており、これらは、図示しない透明光学粘着フィルム等を介して接着される。図１１に示すように、タッチセンサ２１と表示板３２のサイズは略同一である。図１１において、紙面手前側がタッチセンサ２１であり、紙面奥側が表示板３２となる。紙面の最も手前側には、タッチセンサ２１のタッチ操作面材１２が配される。すなわち、ディスプレイ表示装置３３及びスイッチ３４を備える表示板３２は、タッチ操作面材１２の反対側に配置される。そして、操作者は、タッチ操作面材１２に触れることにより、ディスプレイパネルユニット３１を操作する。
【００７６】
図１１に示すように、上方の２つのディスプレイ表示装置３３ａ・３３ｂは、平面視で、センサ回路配線３ａ、３ｂと重なるように配置される。２つのスイッチ３４ａ・３４ｂは、平面視で、センサ回路配線３ｃの領域内に配置される。
【００７７】
なお、第一の実施形態では、最も上のディスプレイ表示装置３３ａは、ナビゲーション装置であり、その下のディスプレイ表示装置３３は、オーディオ装置であり、その下のディスプレイ表示装置３３は、エアコン装置である。いずれのディスプレイ表示装置３３上にタッチセンサ２１のセンサ回路配線を備えたタッチパネルである。また、２つのスイッチ３４ａ・３４ｂは、エアコン装置を操作するためのスイッチである。これらのスイッチは、発光装置上に、タッチセンサ２１のセンサ回路配線を備えたタッチスイッチである。
【００７８】
そして、ディスプレイパネルユニット３１は、センサ回路配線３、引出し細線４を介して、ＣＰＵに接続される。操作者が、ディスプレイ表示装置３３ａ・３３ｂに表示される映像、画像に従い、タッチ操作面材１２上のディスプレイ表示装置３３ａ・３３ｂに対応する箇所を、操作者が触れることにより、ナビゲーション装置及びオーディオ装置を操作することができる。また、タッチ操作面材１２上のスイッチ３４ａ・３４ｂに対応する箇所を、操作者が触れることにより、エアコン装置を操作することができる。更に、ディスプレイパネルユニット３１は、タッチ操作面材１２側が凹面となるように構成されているため、視認性、操作性、デザイン性に優れる。
【００７９】
本発明の第二の実施形態にかかるディスプレイパネルユニット４１を図１２及び図１３に示す。
【００８０】
ディスプレイパネルユニット４１は、タッチセンサ４２と表示板４３とを主要な構成として備える。
【００８１】
タッチセンサ４２は、２枚のタッチセンサ部材４４・４５と、タッチ操作面材４６とを主要な構成として備える。なお、図１２では、簡略化のため、引出し線は省略する。
【００８２】
タッチセンサ部材４４は、１００μｍの厚みを有するガラスフィルム上に、センサ回路配線５１が形成されている。なお、センサ回路配線５１の構成は、第一の実施形態にかかるタッチセンサ部材１と同じである。本実施形態において、細線３ｙの線幅は８μｍであり、厚みは２μｍである。
【００８３】
タッチセンサ部材４５は、１００μｍの厚みを有するガラスフィルム上に、センサ回路配線５２・５３ａ・５３ｂが形成されている。
【００８４】
そして、タッチ操作面材４６は、１００μｍの厚みを有するガラスフィルムからなり、タッチセンサ部材４５とほぼ同一形状で同サイズある。タッチ操作面材４６上に、タッチセンサ部材４５が積層され、タッチセンサ部材４５上に、タッチセンサ部材４４が積層されている。その際のセンサ回路配線５１の形成領域と、センサ回路配線５２の形成領域とが重なるように配置されている。
【００８５】
表示板４３は、ベース部材４３ａにマウントされたディスプレイ表示装置５４と、発光装置５３ｂ・５５ｂを備える。ディスプレイ表示装置５４は、例えば、液晶ディスプレイ表示装置である。発光装置５３ｂ・５５ｂは、図１２に示すように、表示板４３の曲面部分に設けられる。表示板４３の上に、タッチセンサ４２が積層されている。なお、表示板４３は、タッチセンサ４２のタッチセンサ部材４４側と接するように積層される。また、ディスプレイ表示装置５４は、センサ回路配線５１の形成領域及びセンサ回路配線５２の形成領域と重なるように配置されている。更に、発光装置５３ｂ・５５ｂは、それぞれセンサ回路配線５３ａ・５５ａの形成領域と重なるように配置されている。タッチスイッチ５３、５５は、タッチ操作面材４６、センサ回路配線５３ａ、５５ａ、発光装置５３ｂ、５５ｂ、図示しない制御装置等により構成される。
【００８６】
そして、図１３に示すように、ディスプレイパネルユニット４１においては、ディスプレイ表示装置５４に表示される映像、画像に従い、タッチセンサ４２（タッチ操作面材４６）上のディスプレイ表示装置５４に対応する箇所を、操作者が触れることにより、装置を操作することができる。また、タッチ操作面材４６上のスイッチ５３ａ・５３ｂに対応する箇所を、操作者が触れることにより、装置を操作することができる。また、ディスプレイパネルユニット４１は、タッチスイッチ用センサ回路配線５３ａ、５５ａの形成領域において、タッチ操作面材４６側が凸面となるように構成されている。なお、図１３では、センサ回路配線５２・５３ａ・５３ｂが形成された領域を、便宜上一点破線で表している。
【００８７】
本発明の第三の実施形態にかかるディスプレイパネルユニット６１を図１４に示す。なお、上述した第二の実施形態と同じ部分は説明を省略する。
【００８８】
ディスプレイパネルユニット６１は、タッチセンサ４７と表示板４３とを主要な構成として備える。
【００８９】
タッチセンサ４７は、１枚のタッチセンサ部材４８と、タッチ操作面材４６とを主要な構成として備える。
【００９０】
タッチセンサ部材４７は、１００μｍの厚みを有するガラスフィルム上に、センサ回路配線５３ａ・５３ｂ・５６が形成されている。センサ回路配線５６は、図１４に示すように、タッチセンサ部材４７の両面に、太線３ｘが形成されている。タッチセンサ部材４７は、基材の両面に太線３ｘが形成されているため、１枚のタッチセンサ部材４８によりディスプレイパネルユニット６１を構成することができる。本実施形態において、基材の両面に形成された細線３ｙの線幅は８μｍであり、厚みは２μｍである。
【００９１】
なお、他の実施形態として、第二及び第三の実施形態にかかるディスプレイパネルユニット４１、６１において、発光装置５３ｂ・５５ｂの位置に、ディスプレイ表示装置を設けてもよい。
【００９２】
更に、他の実施形態として、第一〜第三の実施形態にかかるディスプレイパネルユニット３１、４１、６１のタッチ操作面材１２、４ｂに振動発生素子を接続配置することができる。操作者がナビゲーション装置及びオーディオ装置におけるスイッチに対応する箇所を触れて機器装置を操作する際に、振動発生素子から振動を発生させることにより、操作が行われたことを確認できる。本実施形態のタッチ操作面材１２は、３００μｍ以下の厚みを有するガラスフィルムにより構成されているので、振動発生素子を駆動させて、振動を発生させるために要する電力が少なくて済むと共に、鋭敏な振動変化に応答することができる。振動発生素子としては、偏心モーター、リニア共振アクチュエーター、ピエゾアクチュエーター等から振動信号仕様、駆動力と素子寸法等の観点より好適なものを選ぶことができる。また、ディスプレイパネルユニットの複数のタッチ操作面に合わせて複数の振動発生素子を設けることで、それぞれのタッチ操作面におけるタッチ動作に合わせた振動を個別に発生することができるのでより好ましい。
【符号の説明】
【００９３】
１・１１・１６：タッチセンサ部材、２：基材、３：センサ回路配線、４：引出し線、３ｙ：細線、２１：タッチセンサ、３１：ディスプレイパネルユニット
【図１】
2018034324.tif 000003
【図２】
2018034324.tif 000004
【図３】
2018034324.tif 000005
【図４】
2018034324.tif 000006
【図５】
2018034324.tif 000007
【図６】
2018034324.tif 000008
【図７】
2018034324.tif 000009
【図８】
2018034324.tif 000010
【図９】
2018034324.tif 000011
【図１０】
2018034324.tif 000012
【図１１】
2018034324.tif 000013
【図１２】
2018034324.tif 000014
【図１３】
2018034324.tif 000015
【図１４】
2018034324.tif 000016
【国際調査報告】
2018034324.tif 000017
2018034324.tif 000018
2018034324.tif 000019
2018034324.tif 000020